(57)【要約】 【課題】  複数の画像を含む原稿画像を便利な形態で保存する技術を提供する【解決手段】  画像処理装置は、原稿を光学的に読み取ることによって生成される原稿画像データであって、原稿画像を表す前記原稿画像データを取得する原稿画像取得部と、原稿画像データを用いて、原稿画像に含まれる複数個の領域画像をそれぞれ表す複数個の領域画像データを生成する領域画像生成部と、複数個の領域画像データを含むファイルであって、複数個の領域画像が互いに異なるページに配置されたファイルを生成するファイル生成部と、を備える。【選択図】  図５
2014011696.tif 000002
【特許請求の範囲】
【請求項１】
画像処理装置であって、
原稿を光学的に読み取ることによって生成される原稿画像データであって、原稿画像を表す前記原稿画像データを取得する原稿画像取得部と、
前記原稿画像データを用いて、前記原稿画像に含まれる複数個の領域画像をそれぞれ表す複数個の領域画像データを生成する領域画像生成部と、
前記複数個の領域画像データを含むファイルであって、前記複数個の領域画像が互いに異なるページに配置された前記ファイルを生成するファイル生成部と、
を備える画像処理装置。
【請求項２】
請求項１に記載の画像処理装置であって、
前記原稿画像データと、前記複数個の領域画像データと、のうちの少なくとも一方を解析することによって、前記複数個の領域画像データに対応する複数個のページ番号情報を取得するページ番号取得部を備え、
前記ファイル生成部は、前記複数個のページ番号情報を用いて、前記複数個の領域画像がページ番号順に配置された前記ファイルを生成する、画像処理装置。
【請求項３】
請求項１または請求項２に記載の画像処理装置であって、
前記領域画像生成部は、１個の前記原稿画像データを用いて、Ｎ個（Ｎは、３以上の整数）の前記領域画像データを生成し、
前記ファイル生成部は、前記Ｎ個の前記領域画像データのうちの１個以上の前記領域画像データをそれぞれ含むＭ個（Ｍは、２以上、かつ、（Ｎ−１）以下の整数）の前記ファイルを生成し、
前記Ｍ個のファイルのうち少なくとも１個のファイルは、前記Ｎ個の前記領域画像データのうちの２個以上の前記領域画像データに対応する２個以上の前記領域画像が互いに異なるページに配置されたファイルである、画像処理装置。
【請求項４】
請求項３に記載の画像処理装置であって、
前記原稿画像データと、前記複数個の領域画像データと、のうちの少なくとも一方を解析することによって、前記複数個の領域画像データに対応する複数個の特定種の情報を取得する特定種情報取得部を備え、
前記ファイル生成部は、前記複数個の特定種の情報を用いて、２個以上の第１種の領域画像データを含む第１のファイルと、１個以上の第２種の領域画像データを含む第２のファイルと、を含む前記Ｍ個のファイルを生成し、
前記２個以上の第１種の領域画像データによって表される２個以上の第１種の領域画像のそれぞれは、前記特定種の情報として第１の情報を含み、
前記１個以上の第２種の領域画像データによって表される１個以上の第２種の領域画像のそれぞれは、前記特定種の情報として第２の情報を含む、画像処理装置。
【請求項５】
請求項１ないし請求項４のいずれかに記載の画像処理装置であって、
前記原稿画像取得部は、第１の原稿画像を表す第１の原稿画像データと、第２の原稿画像を表す第２の原稿画像データと、を含む２以上の前記原稿画像データを取得し、
前記領域画像生成部は、前記第１の原稿画像データを用いて、前記第１の原稿画像に含まれるＰ個の前記領域画像をそれぞれ表すＰ個の第１の領域画像データを生成し、第２の原稿画像データを用いて、前記第２の原稿画像に含まれるＰ個の前記領域画像をそれぞれ表すＰ個の第２の領域画像データを生成し、
前記ファイル生成部は、前記Ｐ個の第１の領域画像データと前記Ｐ個の第２の領域画像データとを含む前記ファイルであって、前記第１の原稿画像に含まれるＰ個の前記領域画像と、前記第２の原稿画像に含まれるＰ個の前記領域画像と、が２・Ｐ個の異なるページに配置されたファイルを生成する、画像処理装置。
【請求項６】
請求項５に記載の画像処理装置であって、
前記画像処理装置は、さらに、
前記第１の原稿画像データと、前記Ｐ個の第１の領域画像データと、のうちの少なくとも一方を解析することによって、前記Ｐ個の第１の領域画像データに対応するＰ個の第１のページ番号情報を取得し、前記第２の原稿画像データと、前記Ｐ個の第２の領域画像データと、のうちの少なくとも一方を解析することによって、前記Ｐ個の第２の領域画像データに対応するＰ個の第２のページ番号情報を取得するページ番号取得部と、
前記第１の原稿画像データと前記第２の原稿画像データとが生成された順番を特定する生成順特定部と、
を備え、
前記ファイル生成部は、前記第１のページ番号情報と、前記第２のページ番号情報と、前記第１の原稿画像データと前記第２の原稿画像データとが生成された順番と、に基づいて定められるページ順に、前記第１の原稿画像に含まれるＰ個の前記領域画像と、前記第２の原稿画像に含まれるＰ個の前記領域画像とが、配置された前記ファイルを生成する、画像処理装置。
【請求項７】
請求項１ないし請求項６のいずれかに記載の画像処理装置であって、
前記原稿画像は、互いに異なる向きで配置された第１の領域画像と第２の領域画像とを含み、
前記ファイル生成部は、前記第１の領域画像と前記第２の領域画像とが同じ向きで表示されるように、前記ファイルを生成する、画像処理装置。
【請求項８】
請求項１ないし請求項７のいずれかに記載の画像処理装置であって、
前記原稿画像は、前記原稿に記入された記入情報を含み、
前記画像処理装置は、さらに、
前記複数個の領域画像のそれぞれに含まれる特定領域の前記記入情報に基づいて、前記複数個の領域画像のそれぞれが特定条件を満たすか否かを判断する条件判断部を備え、
前記ファイル生成部は、前記複数個の領域画像の中に前記特定条件を満たす特定領域画像が含まれる場合に、前記特定領域画像が表示されないように、前記ファイルを生成する、画像処理装置。
【請求項９】
コンピュータプログラムであって、
原稿を光学的に読み取ることによって生成される原稿画像データであって、原稿画像を表す前記原稿画像データを取得する原稿画像取得機能と、
前記原稿画像データを用いて、前記原稿画像に含まれる複数個の領域画像をそれぞれ表す複数個の領域画像データを生成する領域画像生成機能と、
前記複数個の領域画像データを含むファイルであって、前記複数個の領域画像が互いに異なるページに配置された前記ファイルを生成するファイル生成機能と、
をコンピュータに実現させるコンピュータプログラム。
【発明の詳細な説明】
【技術分野】
【０００１】
本発明は、原稿画像を表す原稿画像データを用いて、複数のページを含むファイルを生成する技術に関する。
【背景技術】
【０００２】
書類（原稿）をスキャナで読み取り、原稿画像を表す原稿画像データを保存することが一般的に行われている。原稿画像をユーザにとって便利な形態で保存するために、原稿画像データを加工する様々な画像処理技術が提案されている。例えば、特許文献１では、複数の画像が印刷された１枚の原稿を読み取ることによって得られる１つの原稿画像データを用いて、複数の画像をそれぞれ表す複数の画像データを生成する技術が開示されている。
【先行技術文献】
【特許文献】
【０００３】
【特許文献１】特開２０１０−１８７０５６号公報
【発明の概要】
【発明が解決しようとする課題】
【０００４】
複数の画像を含む原稿画像を保存する場合に、ユーザの利便性を向上することが求められている。
【０００５】
本発明の主な利点は、複数の画像を含む原稿画像を便利な形態で保存する技術を提供することである。
【課題を解決するための手段】
【０００６】
本発明は、上述の課題の少なくとも一部を解決するためになされたものであり、以下の適用例として実現することが可能である。
【０００７】
［適用例１］画像処理装置であって、原稿を光学的に読み取ることによって生成される原稿画像データであって、原稿画像を表す前記原稿画像データを取得する原稿画像取得部と、前記原稿画像データを用いて、前記原稿画像に含まれる複数個の領域画像をそれぞれ表す複数個の領域画像データを生成する領域画像生成部と、前記複数個の領域画像データを含むファイルであって、前記複数個の領域画像が互いに異なるページに配置された前記ファイルを生成するファイル生成部と、を備える画像処理装置。
【０００８】
上記構成によれば、原稿画像データを用いて、原稿画像の複数個の領域画像が互いに異なるページに配置されたファイルを生成することができるので、複数個の領域画像を含む原稿画像を便利な形態で保存することができる。
【０００９】
本発明は、種々の形態で実現することが可能であり、例えば、上記装置の機能を実現する方法、上記装置の機能を実現するコンピュータプログラム、当該コンピュータプログラムを記録した記録媒体、等の形態で実現することができる。
【図面の簡単な説明】
【００１０】
【図１】原稿保存システム１０００の構成を示すブロック図である。
【図２】テンプレート画像データ生成処理のフローチャートである。
【図３】テンプレート画像ＴＩの一例を示す図である。
【図４】メモシートＭＳの使用態様を説明する図である。
【図５】分割ドキュメント生成処理のフローチャートである。
【図６】分割ドキュメント生成処理の説明図である。
【図７】分割ドキュメント生成処理の説明図である。
【図８】管理テーブルＭＴの一例を示す図である。
【図９】領域画像データ生成処理のフローチャートである。
【図１０】ＰＤＦファイルの生成について説明する図である。
【発明を実施するための形態】
【００１１】
Ａ．実施例：
Ａ−１．原稿保存システム１０００の構成：
図１は、原稿保存システム１０００の構成を示すブロック図である。原稿保存システム１０００は、画像処理サーバ２００と、複合機３００と、パーソナルコンピュータ４００と、格納サーバ５００とを備えている。複合機３００とパーソナルコンピュータ４００は、同じユーザによって利用され、ＬＡＮ６００を介して、通信可能に接続されている。複合機３００とパーソナルコンピュータ４００とは、ＬＡＮ６００を介して、インターネット７００に接続されている。画像処理サーバ２００と、格納サーバ５００とは、それぞれ、インターネット７００に接続されている。
【００１２】
複合機３００は、複合機３００全体を制御するＣＰＵ３１０と、ＲＡＭなどの揮発性記憶装置３３０と、フラッシュメモリなどの不揮発性記憶装置３４０と、外部機器（ネットワークを介して接続される機器、ＵＳＢメモリなどの外部記憶装置など）と接続するための通信部３２０と、各種のボタンを含む操作部３５０と、液晶パネルなどの表示部３６０と、インクジェット式またはレーザ式のプリンタエンジンである印刷実行部３７０と、画像読取部３８０と、を備えている。
【００１３】
画像読取部３８０は、ＣＣＤやＣＭＯＳなどの複数の光電変換素子が一列に並んで配置された構造を備える一次元イメージセンサを用いて、原稿を光学的に読み取ることによって、原稿画像データ（スキャンデータ）を生成するスキャナである。画像読取部３８０は、例えば、自動搬送機構を備え、複数枚の原稿を順次に読み取って、複数個の原稿画像データを自動的に生成することができる。
【００１４】
不揮発性記憶装置３４０には、コンピュータプログラム３４１が格納されている。コンピュータプログラム２４１は、ＣＤ−ＲＯＭなどに記録された形態で提供され得る。ＣＰＵ３１０は、プログラム２４１を実行することにより、複合機３００の全体を制御する装置制御部３１２として機能する。装置制御部３１２は、テンプレート画像取得部３１４と、原稿画像送信部３１６と、を備える。これらの各機能部が実行する処理については後述する。
【００１５】
画像処理サーバ２００は、ＣＰＵ２１０と、ＲＡＭなどの揮発性記憶装置２３０と、ハードディスクなどの不揮発性記憶装置２４０と、インターネット７００に接続するためのインタフェースを含む通信部２２０と、を備えている。不揮発性記憶装置２４０には、コンピュータプログラム２４１が格納されている。コンピュータプログラム２４１は、ＣＤ−ＲＯＭなどに記録された形態で提供され得る。
【００１６】
ＣＰＵ２１０は、コンピュータプログラム２４１を実行することにより、テンプレート画像生成部５０と原稿画像処理部１００として機能する。原稿画像処理部１００は、原稿画像取得部１１０と、画像情報取得部１２０と、ページ番号取得部１３０と、生成順特定部１４０と、不要条件判断部１５０と、領域画像生成部１６０と、ファイル生成部１７０と、を備えている。これらの各機能部が実行する処理については後述する。
【００１７】
格納サーバ５００は、一般的な計算機であり、格納サーバ５００のＣＰＵ５１０は、サーバプログラム（図示せず）を実行することによって、ユーザが所有するデータを格納・保存するサービスを提供する。具体的には、後述するように、ユーザは、複合機３００と画像処理サーバ２００とを介して、原稿を表す原稿画像データを格納サーバ５００に格納することができる。
【００１８】
パーソナルコンピュータ４００のＣＰＵ４１０は、対応するプログラムを実行することによって、複合機３００を制御するためのドライバ（図示省略）や、画像処理サーバ２００にアクセスするクライアントとして機能する。ユーザは、パーソナルコンピュータ４００を用いて、格納サーバ５００に格納された原稿画像データにアクセスすることが可能である。
【００１９】
Ａ−２．原稿保存システム１０００の動作：
画像処理サーバ２００が実行する処理を中心に、原稿保存システム１０００の動作について説明する。
【００２０】
Ａ−２−１：テンプレート画像データ生成処理：
図２は、テンプレート画像データ生成処理のフローチャートである。テンプレート画像データ生成処理は、メモシートを作成するためのテンプレート画像データを生成する処理である。テンプレート画像データ生成処理は、テンプレート画像データの生成を要求する生成要求を、画像処理サーバ２００が受信した場合に、画像処理サーバ２００のテンプレート画像生成部５０によって実行される。生成要求は、複合機３００のユーザによる指示に従って、複合機３００のテンプレート画像取得部３１４によって、画像処理サーバ２００に対して送信される。ユーザの指示は、例えば、複合機３００の印刷実行部３７０にメモシートのテンプレート画像を印刷させる印刷指示である。
【００２１】
ステップＳ１１０にて、複合機３００から生成要求を受信すると、テンプレート画像生成部５０は、受信された生成要求に含まれる設定情報を取得する（ステップＳ１２０）。図２に示すように、設定情報は、ユーザによって指定されたレイアウト情報を含んでいる。レイアウト情報は、後述する割付数ＡＮと、用紙サイズＰＳと、罫線の種類ＬＴとを含んでいる。用紙サイズＰＳは、テンプレート画像が印刷される予定の用紙のサイズであり、Ａ４、Ａ３、Ｂ５、Ｂ４などの一般的に印刷に用いられる用紙サイズのいずれかである。罫線の種類ＬＴは、例えば、レポート用紙の罫線（左右方向の罫線）、方眼紙や原稿用紙の罫線（マス目状の罫線）などが含まれる。これらのレイアウト情報の全部または一部は、予め定められた固定値であっても良い。設定情報は、レイアウト情報に加えて、他の情報、例えば、後述するキーワード情報などの他の情報を含んでいても良い。
【００２２】
ステップＳ１３０では、テンプレート画像生成部５０は、レイアウト情報を含む設定情報を用いて、テンプレート画像のレイアウト、および、テンプレート画像に配置される単位画像１０の内容を決定する。ステップＳ１４０では、テンプレート画像生成部５０は、決定されたレイアウトで、決定された内容を表す単位画像１０が配置されたテンプレート画像データを生成する。
【００２３】
図３は、テンプレート画像データによって表されるテンプレート画像ＴＩの一例を示す図である。図４は、メモシートＭＳの使用態様を説明する図である。図３（Ａ）は、単位画像１０の一例を示している。図３（Ｂ）は、割付数ＡＮが２である第１種のテンプレート画像ＴＩＡを示し、図３（Ｃ）は、割付数ＡＮが４である第２種のテンプレート画像ＴＩＢを示している。図４（Ａ）は、第１種のテンプレート画像ＴＩＡが印刷された第１種のメモシートＭＳＡの使用態様を示し、図４（Ｂ）は、第２種のテンプレート画像ＴＩＢが印刷された第２種のメモシートＭＳＢの使用態様を示している。このように、特定種類のテンプレート画像ＴＩやメモシートＭＳを区別する場合には、符号の末尾にさらにアルファベット（例えば、Ａ、Ｂ）を付加する。
【００２４】
図３（Ｂ）（Ｃ）に示すように、テンプレート画像ＴＩは、割付数ＡＮに対応する個数（ＡＮ個）の単位画像１０を含む。換言すれば、割付数ＡＮは、テンプレート画像ＴＩを用紙に印刷してメモシートＭＳを作成した場合に、１枚の用紙（の片面）に印刷される単位画像１０の数である。第１種のテンプレート画像ＴＩＡは、２個の単位画像１０Ａ、１０Ｂを含み、第２種のテンプレート画像ＴＩＢは、４個の単位画像１０Ｃ、１０Ｄ、１０Ｅ、１０Ｆを含む。このように、特定の単位画像１０を区別する場合には、符号の末尾にさらにアルファベット（例えば、Ａ、Ｂ）を付加する。後述するメモシートＭＳの領域ＳＡについても同様である。
【００２５】
なお、テンプレート画像ＴＩが印刷されたメモシートＭＳは、図４に示すように、折り畳まれた状態で使用される。具体的には、第１種のメモシートＭＳＡ（図４（Ａ））は、矩形の用紙の２つの長辺のそれぞれの中点ＣＰ１、ＣＰ２を結ぶ線を第１の折り線として１回折り畳まれた状態で使用される。第２種のメモシートＭＳＢ（図４（Ｂ））は、１回折り畳まれた状態の用紙の２つの長辺（折り畳まれる前は短辺であった辺）のそれぞれの中点ＣＰ３、ＣＰ４を結ぶ線を第２の折り線として、さらに、１回折り畳まれた状態で使用される。メモシートＭＳが上述したように折り畳まれたときの折り線によって、メモシートＭＳの一方の面は、複数の領域ＳＡに区分される。具体的には、第１種のメモシートＭＳＡの一方の面は、２個の領域ＳＡＡ、ＳＡＢに区分され（図４（Ａ））、第２種のメモシートＭＳＢの一方の面は、４個の領域ＳＡＣ、ＳＡＤ、ＳＡＥ、ＳＡＦに区分される（図４（Ｂ））。
【００２６】
メモシートＭＳの１個の領域ＳＡは、１ページ分のメモ領域として用いられることが想定されている。例えば、第１種のメモシートＭＳＡでは、領域ＳＡＡが１ページ目、領域ＳＡＢが２ページ目のメモ領域として用いられる。第２種のメモシートＭＳＢでは、４個の領域ＳＡＣ、ＳＡＤ、ＳＡＥ、ＳＡＦが、それぞれ、１〜４ページ目のメモ領域として用いられる。
【００２７】
単位画像１０は、メモシートＭＳの各領域ＳＡに１個ずつ印刷される。このために、１個の単位画像１０は、１ページ分のメモ領域として用いられた場合に、便利なように、構成されている。具体的には、１個の単位画像１０は、図３（Ａ）に示すように、レイアウト情報によって指定された種類の罫線ＲＬを含む罫線領域ＭＡと、罫線領域ＭＡの上方に隣接するヘッダ領域ＨＡと、罫線領域ＭＡの下方に隣接するフッタ領域ＦＡと、を含む。罫線領域ＭＡを本文領域とも呼び、ヘッダ領域ＨＡとフッタ領域ＦＡとを、罫線領域ＭＡの周辺に位置する周辺領域とも呼ぶ。罫線領域ＭＡは、罫線ＲＬを含むものの、文字、図形、描画などの有意なオブジェクトを有さない、実質的に白紙の領域である。
【００２８】
ヘッダ領域ＨＡは、上マーカ１１と、ページ情報領域１２と、タイトル領域１３と、不要チェックボックス１４と、を含んでいる。上マーカ１１は、例えば、ヘッダ領域ＨＡの左隅（単位画像１０の左上の隅）に配置され、左右方向に平行な部分と上下方向に平行な部分とを含む形状（Ｌ字を時計回りに９０度回転させた形状）を有している。ページ情報領域１２には、テンプレート画像ＴＩ内の単位画像１０のページ番号が記載されている。タイトル領域１３は、ユーザが単位画像１０ごとにタイトルを記入するための領域である。不要チェックボックス１４は、ユーザが単位画像１０を保存する必要がない場合に、チェックを記入するための領域である。
【００２９】
フッタ領域ＦＡは、複数のキーワード１５と、複数のキーワード１５にそれぞれ対応するマーク領域１６と、下マーカ１７と、を含んでいる。キーワード１５は、ユーザが、単位画像１０に関連付けることが可能なキーワードである。キーワード１５の具体的な内容（メモ、議事録、セミナ、アイデアなど）は、例えば、予め定められていても良いし、ユーザによって指定された設定情報に含められ得るキーワード情報によって特定されても良い。マーク領域１６は、複数のキーワード１５のうちの全部または一部を特定するために、ユーザによって塗りつぶされる領域である。下マーカ１７は、例えば、上マーカ１１を時計回りに１８０度回転させた形状を有している。以上から解るように、このテンプレート画像ＴＩが印刷されたメモシートＭＳには、罫線領域ＭＡが実質的に白紙にも拘わらず、換言すれば、罫線領域ＭＡの内容が定まっていないにも拘わらず、関連付けるべきキーワード１５の候補が印刷される、ことになる。
【００３０】
単位画像１０は、図４を参照して説明したように折り畳まれた状態で、テンプレート画像ＴＩが印刷されたメモシートＭＳを使用した場合に便利なように、テンプレート画像ＴＩ内に配置されている。
【００３１】
具体的には、図３（Ｂ）に示すように、第１種のテンプレート画像ＴＩＡの２個の単位画像１０Ａ、１０Ｂは、図４（Ａ）に示す２個の領域ＳＡＡ、ＳＡＢに対応する領域にそれぞれ配置される。そして、折り畳まれた状態で使用されるときに想定される上方向（図４（Ａ）の矢印）と、２個の単位画像１０Ａ、１０Ｂの上方向（図３（Ｂ）の矢印）と、が一致するように、２個の単位画像１０Ａ、１０Ｂは、第１種のテンプレート画像ＴＩＡ内に同じ向きに配置されている。
【００３２】
また、図３（Ｃ）に示すように、第２種のテンプレート画像ＴＩＢの４個の単位画像１０Ｃ〜１０Ｆは、図４（Ｂ）に示す４個の領域ＳＡＣ〜ＳＡＦに対応する領域にそれぞれ配置される。そして、折り畳まれた状態で使用されるときに想定される上方向（図４（Ｂ）の矢印）と、４個の単位画像１０Ｃ〜１０Ｆの上方向（図３（Ｃ）の矢印）と、が一致するように、２個の単位画像１０Ｃ、１０Ｆと、２個の単位画像１０Ｄ、１０Ｅとは、第２種のテンプレート画像ＴＩＢ内に互いに逆向きに配置されている。すなわち、２個の単位画像１０Ｃ、１０Ｆと、２個の単位画像１０Ｄ、１０Ｅは、上述した第１の折り線に対応する第２種のテンプレート画像ＴＩＢ内の線を挟んで互いに逆向きである。
【００３３】
図３（Ｂ）（Ｃ）において、各単位画像１０内に示された数字（「Ｐ−」が頭に付けられている）は、テンプレート画像ＴＩ内の各単位画像１０割り当てられたページ番号を示している。この数字から解るように、単位画像１０のページ番号は、上述した折り畳まれた状態において想定される使用順番に従って割り当てられている。このページ番号は、上述したように、ページ情報領域１２（図３（Ａ））に示されている。
【００３４】
なお、テンプレート画像ＴＩは、図３（Ｂ）（Ｃ）に示すように、ＱＲコード１８を含んでいても良い（「ＱＲコード」は登録商標）。このＱＲコードには、後述する分割ドキュメント生成処理において用いられ得る各種の情報が埋め込まれる。
【００３５】
以上の説明から解るように、１個のテンプレート画像ＴＩに含まれる単位画像１０のサイズは、それぞれ等しい。また、用紙サイズが同じである場合、割付数ＡＮが大きいほど、単位画像１０のサイズは小さく、割付数ＡＮが小さいほど、単位画像１０のサイズは大きい。具体的には、用紙サイズが同じである場合に、割付数ＡＮが、２倍になると、単位画像１０の面積は、約１／２になる。また、割付数ＡＮが同じである場合に、すなわち、１個のテンプレート画像ＴＩに含まれる単位画像１０の数が同じである場合に、用紙サイズが大きいほど、単位画像１０のサイズは大きく、用紙サイズが小さいほど、単位画像１０のサイズは小さい。具体的には、用紙の面積が２倍になれば、単位画像１０の面積も２倍になる。また、図４の折り畳まれた状態の説明から解るように、本実施例では、１個のテンプレート画像ＴＩに含まれる単位画像１０の数（割付数ＡＮ）は、２のＺ乗の値を取る（Ｚは自然数）。すなわち、割付数ＡＮは、２、４、８、１６、３２、...のいずれかの値を取る。
【００３６】
ステップＳ１４０にてテンプレート画像データが生成されると、ステップＳ１５０では、テンプレート画像生成部５０は、複合機３００からの生成要求に対する応答として、テンプレート画像データを複合機３００に対して送信して、処理を終了する。送信されるテンプレート画像データには、様々な形式のデータが採用され得、ラスタライズ処理やハーフトーン処理が実行された印刷データが採用されても良く、ページ記述言語で記述された画像データなどのベクターデータが採用されても良い。
【００３７】
複合機３００の装置制御部３１２は、受信したテンプレート画像データを用いて、テンプレート画像ＴＩを用紙に印刷することによって、メモシートＭＳを作成する。作成されたメモシートＭＳは、ユーザによって使用される。
【００３８】
Ａ−２−２：分割ドキュメント生成処理：
図５は、分割ドキュメント生成処理のフローチャートである。ドキュメント生成処理は、ユーザによって様々な情報（記入情報と呼ぶ）が記入（手書き）されたメモシートＭＳの内容を表す画像データを保存するためのファイルを生成する処理である。ドキュメント生成処理は、画像処理サーバ２００が、複合機３００から原稿画像データを受信した場合に、画像処理サーバ２００の原稿画像処理部１００によって実行される。原稿画像データは、記入済みのメモシートＭＳが複合機３００の画像読取部３８０によって読み取られることによって生成される。原稿画像データは、例えば、１個の送信ファイルに格納されて画像処理サーバ２００に対して送信される。送信すべき複数個の原稿画像データが存在する場合には、該複数個の原稿画像データは、送信ファイルに、生成順（読み取り順）に並べられる。このように、複数個の原稿画像データは、画像処理サーバ２００の生成順特定部１４０が該複数個の原稿画像データの生成順を特定できるように、送信される。
【００３９】
図６、図７は、分割ドキュメント生成処理の説明図である。まず、原稿画像データによって表される原稿画像ＳＩについて説明する。図６（Ａ）は、第１種のメモシートＭＳＡを読み取って生成される第１種の原稿画像データによって表される第１種の原稿画像ＳＩＡを示し、図７（Ａ）は、第２種のメモシートＭＳＢを読み取って生成される第２種の原稿画像データによって表される第２種の原稿画像ＳＩＢを示す。このように、特定種類の原稿画像ＳＩを区別する場合には、符号の末尾にさらにアルファベット（例えば、Ａ、Ｂ）を付加する。原稿画像ＳＩは、１枚のメモシートＭＳに印刷された１個のテンプレート画像ＴＩに含まれる複数個の単位画像１０に対応する複数個の領域画像２０を含む。従って、１個の原稿画像ＳＩに含まれる複数個の領域画像２０の個数は、１個のテンプレート画像ＴＩに含まれる単位画像１０の個数に等しく、２のＺ乗の値（Ｚは自然数）、具体的には、２、４、８、１６、３２、...のいずれかの値を取る。また、１個の原稿画像ＳＩに含まれる複数個の領域画像２０のサイズは、互いにほぼ等しく、対応する単位画像１０のサイズにほぼ等しい。具体的には、図６に示す第１種の原稿画像ＳＩＡは、２個の領域画像２０Ａ、２０Ｂを含み、図７に示す第２種の原稿画像ＳＩＢは、４個の領域画像２０Ｃ〜２０Ｆを含んでいる。このように、特定の領域画像２０を区別する場合には、符号の末尾にさらにアルファベット（例えば、Ａ、Ｂ）を付加する。領域画像２０は、対応する単位画像１０（図３参照）を含むとともに、ユーザによってメモシートＭＳに記入された記入情報１９（記入画像とも呼ぶ）を含み得る。記入情報１９は、単位画像１０の罫線領域ＭＡ（図３（Ａ）参照）にも含まれ得るし、単位画像１０の周辺領域（ヘッダ領域ＨＡやフッタ領域ＦＡ（図３（Ａ）参照））にも含まれ得る。具体的には、ユーザによって記入される記入情報１９には、罫線領域ＭＡに記入される文字、図形などのメイン情報（保存すべきコンテンツ）や、周辺領域に記入される各種のサブ情報（不要チェックボックス１４のチェック、マーク領域１６の塗りつぶし、タイトル領域１３への書き込みなど）を含む（図６（Ａ））。以下では、１個の原稿画像あたり４個の領域画像２０を含む原稿画像ＳＩをそれぞれ表す３個の原稿画像データが処理される場合を例に説明する。この場合には、１２個の領域画像２０が処理される。
【００４０】
ステップＳ３００にて、原稿画像取得部１１０が複合機３００から１個以上の原稿画像データを受信すると、原稿画像処理部１００は、処理対象とする１個の原稿画像データを選択する（ステップＳ３１０）。複数個の原稿画像データがある場合には、原稿画像データの生成順に、１個ずつ原稿画像データが選択される。例えば、送信ファイルに、原稿画像データが生成順に並べて配置されている場合には、送信ファイルに並べられた順に１個ずつ原稿画像データが選択される。
【００４１】
ステップＳ３２０では、生成順特定部１４０は、選択された原稿画像データの番号（原稿画像番号ＳＮ）を決定する。ここで、原稿画像番号ＳＮは、原稿画像データを特定する番号であり、生成順に付される。本実施例では、ステップＳ３２０にて、生成順に、原稿画像データが選択されるので、ステップＳ３２０での選択順に、原稿画像番号ＳＮが付される。換言すれば、原稿画像番号ＳＮによって、原稿画像データの生成順が特定できる。
【００４２】
ステップＳ３３０では、領域画像生成部１６０は、原稿画像ＳＩに含まれるマーカを検出して、原稿画像ＳＩのレイアウトを特定する。具体的には、画像情報取得部１２０は、原稿画像データを解析することによって、原稿画像ＳＩに含まれる単位画像１０の上マーカ１１と下マーカ１７（図３）を検出する。マーカを検出する解析方法には、周知のパターンマッチングなどが用いられる。領域画像生成部１６０は、マーカ１１、１７が検出された位置に基づいて、原稿画像ＳＩに含まれる領域画像２０の数と位置（領域画像２０の数と位置と等しい）を特定する。
【００４３】
ステップＳ３４０では、ページ番号取得部１３０は、処理対象の原稿画像データによって表される原稿画像ＳＩ内の各領域画像２０に対応するページ番号（原稿画像ページ番号ＳＰＮ）を取得する。具体的には、ページ番号取得部１３０は、原稿画像データを解析することによって、各領域画像２０に対応するページ情報領域１２（図３（Ａ）参照）に含まれるページ番号を取得する。なお、各領域画像２０のページ番号は、ＱＲコード１８（図３（Ａ）参照）に埋め込まれた情報に、領域画像２０との対応が特定できる態様で含まれていても良い。この場合には、ページ番号取得部１３０は、ＱＲコード１８を読み取ることによって、各領域画像２０に対応するページ番号を取得しても良い。
【００４４】
ステップＳ３５０では、原稿画像処理部１００は、各領域画像２０がスキップの対象であるか否かを判断する。具体的には、画像情報取得部１２０は、原稿画像データを解析することによって、各領域画像２０に含まれる不要チェックボックス１４（図３（Ａ）参照）に記入情報（具体的にはチェック）が記入されているか否か検出する。不要条件判断部１５０は、記入情報が記入されている不要チェックボックス１４に対応する領域画像２０はスキップの対象であると判断し、記入情報が記入されていない不要チェックボックス１４に対応する領域画像２０はスキップの対象でないと判断する。スキップの対象であると判断された領域画像２０は、後述するように、後に生成されるＰＤＦファイルに格納される対象から除外される。
【００４５】
ステップＳ３６０では、画像情報取得部１２０は、各領域画像２０に関連付けられたキーワード（関連付キーワードＫＷ）を取得する。具体的には、画像情報取得部１２０は、原稿画像データを解析することによって、各領域画像２０に含まれる複数のマーク領域１６（図３（Ａ）参照）に記入情報（具体的には塗りつぶし）が記入されているか否かを検出する。画像情報取得部１２０は、記入情報が記入されているマーク領域１６に対応するキーワード１５（図３（Ａ）参照）を、対応する領域画像２０に関連付けられた関連付キーワードＫＷとして取得する。マーク領域１６に対応するキーワード１５の内容は、マーク領域１６の位置と、キーワード１５の内容との、予め定められた対応関係に基づいて、特定される。マーク領域１６と、キーワード１５との対応関係が、画像処理サーバ２００によって認識されていない場合には、画像情報取得部１２０は、対象画像データのキーワード１５を表す領域に対して周知の文字認識処理（ＯＣＲ処理）を実行することによって、該キーワード１５の内容を取得しても良い。
【００４６】
ステップＳ３７０では、原稿画像処理部１００は、複合機３００から受信した全ての原稿画像データを選択したか否かを判断する。未選択の原稿画像データがある場合には（ステップＳ３７０：ＮＯ）、原稿画像処理部１００は、ステップＳ３１０に戻って、新たな原稿画像データを選択して、上述したＳ３２０〜Ｓ３６０までの処理を繰り返す。また、全ての原稿画像データが選択済みである場合には（ステップＳ３７０：ＹＥＳ）、原稿画像処理部１００は、処理を、ステップＳ３８０に進める。
【００４７】
なお、ここまでの処理で取得・特定された各種の情報は、揮発性記憶装置２３０に一時的に生成された管理テーブルＭＴに記録される。図８は、管理テーブルＭＴの一例を示す図である。管理テーブルＭＴには、処理される１２個の領域画像２０ごとに、原稿画像番号ＳＮと、原稿画像ページ番号ＳＰＮと、スキップ情報ＳＫと、ＰＤＦファイル番号ＰＮと、ＰＤＦページ番号ＰＰＮと、関連付キーワードＫＷとが記録される。上述したように、原稿画像番号ＳＮは、ステップＳ３２０にて決定され、原稿画像ページ番号ＳＰＮは、ステップＳ３４０にて取得される。スキップ情報ＳＫは、ステップＳ３５０にて実行される、各領域画像２０がスキップの対象であるか否かの判断結果を示す情報である。図８の管理テーブルＭＴでは、スキップの対象とされる領域画像２０に対しては、スキップ情報ＳＫとして「スキップ」の対象である旨が記録され、スキップの対象とされない領域画像２０に対しては、なにも記録されない。上述したように、関連付キーワードＫＷは、ステップＳ３６０にて取得される。ＰＤＦファイル番号ＰＮと、ＰＤＦページ番号ＰＰＮについては、ステップＳ３７０までの処理が終了した時点では、まだ記録されていない。
【００４８】
ステップＳ３８０では、ファイル生成部１７０は、生成すべきＰＤＦファイルの仕様を決定する。具体的には、ファイル生成部１７０は、上述した管理テーブルＭＴ（図８）に記録済みの情報に基づいて、原稿画像番号ＳＮと原稿画像ページ番号ＳＰＮとの組み合わせによって特定される領域画像２０ごとに、ＰＤＦファイル番号ＰＮと、ＰＤＦページ番号ＰＰＮとを、決定する。以下では、原稿画像番号ＳＮ＝１と、原稿画像ページ番号ＳＰＮ＝２との組み合わせによって特定される領域画像２０を、（１−２）の領域画像２０というように、（ＳＮ−ＳＰＮ）という記述を用いて表すことがある。
【００４９】
具体的には、ＰＤＦファイル番号ＰＮと、ＰＤＦページ番号ＰＰＮは、管理テーブルＭＴにおける１２個の領域画像２０の並び順と、１２個の領域画像２０の関連付キーワードＫＷとを用いて、決定される。１２個の領域画像２０の並び順は、図８から解るように、原稿画像番号ＳＮで表される生成順が早いほど先であり、同じ原稿画像ＳＩの４個の領域画像２０の中では、原稿画像ページ番号ＳＰＮが小さいほど先である。まず、スキップの対象であると判断される領域画像２０は、処理から除外され、該領域画像２０に対しては、ＰＤＦファイル番号ＰＮおよびＰＤＦページ番号ＰＰＮが付されない。この並び順が連続しており、かつ、同じ関連付キーワードＫＷを有する２個以上の領域画像２０（領域画像群）には、同じＰＤＦファイル番号ＰＮが付される。また、互いに異なる関連付キーワードＫＷを有する２個以上の領域画像２０には、互いに異なるＰＤＦファイル番号ＰＮが付される。同じ関連付キーワードＫＷを有する２個の領域画像２０であっても、並び順が当該２個の領域画像２０の間に位置する領域画像２０の中に、異なる関連付キーワードＫＷを有する領域画像２０が含まれる場合には、当該２個の領域画像２０には、互いに異なるＰＤＦファイル番号ＰＮが付される。図８に示す例では、（１−１）〜（２−１）までの５個の領域画像２０は、並び順が連続しており、かつ、関連付キーワードＫＷが同じ「議事録」であるので、該５個の領域画像２０のＰＤＦファイル番号ＰＮは、「１」に決定される。（２−２）および（２−３）の２個の領域画像２０は、並び順が連続しており、かつ、関連付キーワードＫＷが同じ「メモ」であるので、該２個の領域画像２０のＰＤＦファイル番号ＰＮは、「２」に決定される。（２−４）〜（３−３）までの４個の領域画像２０は、並び順が連続しており、かつ、関連付キーワードＫＷが同じ「アイデア」であるので、該４個の領域画像２０のＰＤＦファイル番号ＰＮは、「３」に決定される。
【００５０】
また、ファイル生成部１７０は、同じＰＤＦファイル番号ＰＮを有する１個以上の領域画像２０に、並び順に従って、１から始まるＰＤＦページ番号ＰＰＮを付す。具体的には、図８に示すように、ＰＤＦファイル番号ＰＮが「１」である５個の領域画像２０には、１〜５のＰＤＦページ番号ＰＰＮが並び順に付される。ＰＤＦファイル番号ＰＮが「２」である２個の領域画像２０には、１および２のＰＤＦページ番号ＰＰＮが並び順に付される。ＰＤＦファイル番号ＰＮが「３」である４個の領域画像２０には、１〜４のＰＤＦページ番号ＰＰＮが並び順に付される。
【００５１】
ステップＳ３９０では、領域画像生成部１６０は、３個の原稿画像データに対して領域画像データ生成処理を実行して、３個の原稿画像ＳＩに含まれる１２個の領域画像２０を表す領域画像データを生成する。ただし、スキップの対象であると判断された（３−４）の領域画像２０を表す領域画像データは、生成されなくても良い。
【００５２】
図９は、領域画像データ生成処理のフローチャートである。ステップＳ３９１では、領域画像生成部１６０は、処理対象とする１個の原稿画像データを選択する。ステップＳ３９２では、選択された原稿画像データに対して傾き補正処理を実行して、原稿画像データによって表される原稿画像ＳＩの傾きを補正する。傾き補正処理は、原稿画像ＳＩに含まれるマーカ１１、１７の座標に基づく傾き角の計算処理と、算出された傾き角分だけ、原稿画像ＳＩを回転させる回転処理とを含む。これらの具体的な計算方法は、公知の手法を用いて実行される。
【００５３】
ステップＳ３９３では、領域画像生成部１６０は、傾き補正処理後の原稿画像データを用いて、原稿画像ＳＩ内の分割位置を特定する。分割位置は、例えば、原稿画像ＳＩに含まれるマーカ１１、１７の座標に基づいて特定される。分割位置は、図６（Ｂ）に示すように、原稿画像ＳＩが、２個の領域画像２０Ａ、２０Ｂを含む第１種の原稿画像ＳＩＡである場合には、第１種の原稿画像ＳＩＡの２つの長辺をそれぞれ略均等に分割する２つの中点を結ぶ直線である。また、分割位置は、図７（Ｂ）に示すように、原稿画像ＳＩが、４個の領域画像２０Ｃ〜２０Ｆを含む第２種の原稿画像ＳＩＢである場合には、第２種の原稿画像ＳＩＢの２つの長辺をそれぞれ略均等に分割する２つの中間点を結ぶ直線と、第２種の原稿画像ＳＩＢの２つの短辺をそれぞれ略均等に分割する２つの中点を結ぶ直線である。
【００５４】
ステップＳ３９４では、領域画像生成部１６０は、特定された分割位置で、原稿画像ＳＩを分割して、原稿画像ＳＩに含まれる各領域画像２０を表す領域画像データを生成する。図６（Ｂ）に示すように、原稿画像ＳＩが、２個の領域画像２０を含む第１種の原稿画像ＳＩＡである場合には、２個の領域画像２０Ａ、２０Ｂをそれぞれ表す２個の領域画像データが生成される。また、図７（Ｂ）に示すように、原稿画像ＳＩが、４個の領域画像２０Ｃ〜２０Ｆを含む第２種の原稿画像ＳＩＢである場合には、４個の領域画像２０Ｃ〜２０Ｆをそれぞれ表す４個の領域画像データが生成される。
【００５５】
ステップＳ３９５では、原稿画像ＳＩのレイアウトに応じて、回転すべき領域画像２０を特定する。具体的には、原稿画像ＳＩが、図６に示す第１種の原稿画像ＳＩＡである場合には、全部の領域画像、すなわち、２個の領域画像２０Ａ、２０Ｂがそれぞれ回転すべき領域画像として特定される。原稿画像ＳＩが、図７に示す第２種の原稿画像ＳＩＢである場合には、一部の領域画像、すなわち、原稿画像ページ番号ＳＰＮが「２」と「３」である２個の領域画像２０Ｄ、２０Ｅがそれぞれ回転すべき領域画像として特定される。
【００５６】
ステップＳ３９６では、領域画像生成部１６０は、特定された領域画像２０をレイアウトに応じた回転量だけ回転する回転処理を、特定された領域画像２０を表す領域画像データに対して実行する。具体的には、原稿画像ＳＩが、図６に示す第１種の原稿画像ＳＩＡである場合には、２個の領域画像２０Ａ、２０Ｂは、時計回りに９０度だけ回転される。なお、原稿画像データの生成時における画像読取部３８０の読取方向が逆向きであることによって、第１種の原稿画像ＳＩＡは、図６（Ｂ）に示す状態とは、逆向きである場合があるが、この場合には、領域画像生成部１６０は、２個の領域画像２０Ａ、２０Ｂを、反時計回りに９０度だけ回転すれば良い。この結果、２個の領域画像データは、適正方向を向いた状態で、２個の領域画像２０Ａ、２０Ｂを表すように、変換される。画像が適正方向を向いた状態とは、例えば、該画像が、観察者が画像を見た場合に上方を向いているべきと感じる方向を向いている状態であり、例えば、文字画像であれば、該文字画像内の文字の上方向が上方を向いている状態である。例えば、領域画像２０に含まれる単位画像１０の場合には、図３（Ａ）に示す破線の矢印の方向が上方を向いた状態が、適正方向を向いた状態である。
【００５７】
同様に、原稿画像ＳＩが、図７に示す第２種の原稿画像ＳＩＢである場合には、２個の領域画像２０Ｄ、２０Ｅは、それぞれ、１８０度だけ回転される。この結果、４個の領域画像２０Ｃ〜２０Ｆが同じ向きになると共に、４個の領域画像２０Ｃ〜２０Ｆが適正方向を向いた状態になるように、４個の領域画像データが変換される。なお、原稿画像データの生成時における画像読取部３８０の読取方向が逆向きであることによって、第２種の原稿画像ＳＩＢは、図７（Ｂ）に示す状態とは、逆向きである場合がある。すなわち、原稿画像ＳＩＢにおいて、ページ番号１、４に対応する領域画像２０Ｃ、２０Ｆが、図７における上方側に位置し、ページ番号２、３に対応する領域画像２０Ｄ、２０Ｅが、図７における下方側に位置する場合がある。この場合には、領域画像生成部１６０は、２個の領域画像２０Ｃ、２０Ｆを、それぞれ１８０度だけ回転させれば良い。
【００５８】
ステップＳ３９７では、領域画像生成部１６０は、全ての原稿画像データを選択したか否かを判断する。未選択の原稿画像データがある場合には（ステップＳ３９７：ＮＯ）、領域画像生成部１６０は、ステップＳ３９１に戻って、新たな原稿画像データを選択して、上述したＳ３９２〜Ｓ３９６までの処理を繰り返す。また、全ての原稿画像データが選択済みである場合には（ステップＳ３９７：ＹＥＳ）、領域画像生成部１６０は、領域画像データ生成処理を、終了する。
【００５９】
領域画像データ生成処理が終了すると、図５のステップＳ４００では、ファイル生成部１７０は、生成された複数の領域画像データを用いて、ＰＤＦ（Portable Document Format）形式のファイル（ＰＤＦファイル）を生成する。ＰＤＦファイルは、ページの概念を有するファイルであり、任意の数のページのそれぞれに、１個以上の画像データを対応付けて格納することができる。ＰＤＦファイルでは、ページに対応付けられた画像データによって表される画像に対して、ページ上の配置位置、配置角度などを指定することができる。ユーザは、ＰＤＦファイルに格納された画像データによって表される画像を、閲覧プログラム（ビューワー）を用いて、ディスプレイ上で複数ページに亘る書類のように閲覧することができる。
【００６０】
図１０は、ＰＤＦファイルの生成について説明する図である。具体的には、ファイル生成部１７０は、図８に示す管理テーブルＭＴに領域画像２０ごとに記録されたＰＤＦファイル番号ＰＮと、ＰＤＦページ番号ＰＰＮとに従って、３個のＰＤＦファイルＰＦＡ、ＰＦＢ、ＰＦＣを生成する。ＰＤＦファイルＰＦＡには、ＰＤＦファイル番号ＰＮが「１」である５個の領域画像データが格納される。ＰＤＦファイルＰＦＡに格納される５個の領域画像データによって表される５個の領域画像２０は、対応するＰＤＦページ番号ＰＰＮのページに、配置される。同様に、ＰＤＦファイルＰＦＢには、ＰＤＦファイル番号ＰＮが「２」である２個の領域画像データが格納され、該２個の領域画像データは、対応するＰＤＦページ番号ＰＰＮのページに配置される。ＰＤＦファイルＰＦＣには、ＰＤＦファイル番号ＰＮが「３」である４個の領域画像データが格納され、該４個の領域画像データは、対応するＰＤＦページ番号ＰＰＮのページに配置される。ここで、スキップの対象であると判断された１個の領域画像２０に対応する領域画像データは、生成されるＰＤＦファイルには格納されない。
【００６１】
この結果、３個の原稿画像ＳＩから構成される画像群ＳＩＧ（図１０）に含まれる１２個の領域画像２０のうち、スキップの対象であると判断された１個の領域画像２０を除く１１個の領域画像２０が、３個のＰＤＦファイルＰＦＡ、ＰＦＢ、ＰＦＣ（図１０（Ｂ））に分類されて格納される。
【００６２】
図５のステップＳ４１０では、原稿画像処理部１００は、３個のＰＤＦファイルＰＦＡ、ＰＦＢ、ＰＦＣを、格納先に対して送信して、分割ドキュメント生成処理を終了する。本実施例の格納先は、格納サーバ５００である。原稿画像処理部１００は、３個のＰＤＦファイルＰＦＡ、ＰＦＢ、ＰＦＣに、ユーザの識別情報（具体的には、格納サーバ５００を利用するためのユーザＩＤ）を関連付けて、格納サーバ５００に対して送信する。格納サーバ５００のＣＰＵ５１０は、３個のＰＤＦファイルＰＦＡ、ＰＦＢ、ＰＦＣを、格納サーバ５００が有する記憶装置（図示せず）に格納する。ユーザは、パーソナルコンピュータ４００や携帯端末（図示せず）などのクライアント装置を用いて、格納サーバ５００に格納されたＰＤＦファイルＰＦＡ、ＰＦＢ、ＰＦＣにアクセス可能である。
【００６３】
以上説明した本実施例によれば、原稿画像ＳＩの複数の領域画像２０が互いに異なるページに配置されたＰＤＦファイルを生成することができるので、複数の領域画像２０を含む原稿画像ＳＩを便利な形態で保存することができる。
【００６４】
また、ページ番号取得部１３０は、複数個の領域画像データに対応する複数個のページ番号情報（具体的には、ページ情報領域１２内の数字（図３））を、画像解析によって取得する。そして、ファイル生成部１７０は、取得されたページ番号順に配置されたＰＤＦファイルを生成する（図８、図１０）。したがって、ページ番号順に配置された便利なＰＤＦＰＤＦファイルを生成することができる。
【００６５】
さらに、上記実施例では、原稿画像処理部１００は、Ｎ個（図８、１０の例では１１個）の領域画像データを生成し、Ｎ個の領域画像データのうちの１個以上の領域画像データをそれぞれ含むＭ個（図８、１０の例では、３個）のＰＤＦファイルを生成している。Ｍ個のＰＤＦファイルのうち少なくとも１個のファイル（図８、１０の例では、３個のＰＤＦファイル）は、Ｎ個の領域画像データのうちの２個以上の領域画像データに対応する２個以上の領域画像２０が互いに異なるページに配置されている。このように、原稿画像データを用いて２個以上のＰＤＦファイルを生成することができる。この結果、原稿画像データに応じて、便利な個数のＰＤＦファイルを生成することができる。なお、Ｎは、３以上の整数であることが好ましく、Ｍは、２以上、かつ、（Ｎ−１）以下の整数であることが好ましい。図８から解るように、ＰＤＦファイルＰＦＢに含まれる２個の領域画像データに対応する２個の領域画像２０は、原稿画像ＳＩ内のページ番号（原稿画像ページ番号ＳＰＮ）が連続する領域画像であることが解る。
【００６６】
画像情報取得部１２０は、原稿画像データを解析することによって、複数個の領域画像データに対応する複数個の関連付キーワードＫＷを取得する。原稿画像処理部１００は、複数個の関連付キーワードＫＷを用いて、例えば、関連付キーワードＫＷが「議事録」である複数個の領域画像２０に対応する複数個の領域画像データを含むＰＤＦファイルＰＦＡと、関連付キーワードＫＷが「メモ」である複数個の領域画像２０に対応する複数個の領域画像データを含むＰＤＦファイルＰＦＢと、を生成できる（図８、１０）。このように、関連付キーワードＫＷのような領域画像２０のそれぞれに含まれる特定種の情報を用いて、複数のＰＤＦファイルを生成することができるので、より便利な形態で原稿画像ＳＩを保存することができる。
【００６７】
原稿画像取得部１１０は、第１の原稿画像を表す第１の原稿画像データ（例えば、原稿画像番号ＳＮが「１」である原稿画像データ（図８））と、第２の原稿画像を表す第２の原稿画像データと、を含む２個以上の原稿画像データ（例えば、ＳＮ＝「２」である原稿画像データ（図８））を取得する。そして、領域画像生成部１６０は、第１の原稿画像データを用いて、第１の原稿画像に含まれるＰ個（例えば、４個（図８））の領域画像２０をそれぞれ表すＰ個の第１の領域画像データ（例えば、ＳＮ＝「１」である原稿画像データを分割して生成される４個の領域画像データ）を生成する。領域画像生成部１６０は、第２の原稿画像データを用いて、第２の原稿画像に含まれるＰ個の前記領域画像をそれぞれ表すＰ個の第２の領域画像データ（例えば、ＳＮ＝「２」である原稿画像データを分割して生成される４個の領域画像データ）を生成する。
【００６８】
また、ファイル生成部１７０は、Ｐ個の第１の領域画像データとＰ個の第２の領域画像データとを含むファイルであって、第１の原稿画像に含まれるＰ個の前記領域画像と、第２の原稿画像に含まれるＰ個の前記領域画像と、が２・Ｐ個の異なるページに配置されたファイル（例えば、３個のＰＤＦファイルＰＦＡ〜ＰＦＣ（図１０））を生成する。この結果、２個以上の原稿画像データに含まれる２・Ｐ個の領域画像データを含むファイルを生成することができる。このとき、第１のページ番号情報と、第２のページ番号情報と、第１の原稿画像データと第２の原稿画像データとが生成された順番（原稿画像番号ＳＮの順番）と、に基づいて定められるページ順に、２・Ｐ個の領域画像２０が、ＰＤＦファイルに配置される。したがって、生成順とページ番号に応じて、複数の原稿画像ＳＩを便利な形態で保存することができる。
【００６９】
４個の領域画像２０を含む原稿画像ＳＩは、互いに異なる向きで配置された第１の領域画像（例えば、ページ番号「１」「４」の領域画像２０Ｃ、２０Ｆ（図７））と第２の領域画像（例えば、ページ番号「２」「３」の領域画像２０Ｄ、２０Ｅ（図７））とを含む。上記実施例によれば、ファイル生成部１７０は、第１の領域画像と第２の領域画像とが同じ向きで表示されるように、ＰＤＦファイルを生成する。この結果、原稿画像ＳＩにおいて、互いに異なる向きで配置された第１の領域画像と第２の領域画像とを含む原稿画像を、見やすく表示できるファイルを生成することができる。
【００７０】
また、不要条件判断部１５０は、各領域画像２０のそれぞれに含まれる不要チェックボックス１４内のチェックの有無に基づいて、複数個の領域画像のそれぞれがスキップの対象となる条件を満たすか否かを判断する。このスキップ条件を満たす領域画像２０が存在する場合には、ファイル生成部１７０は、当該スキップ条件を満たす領域画像２０を表す領域画像データを含まないＰＤＦファイルを生成する。この結果、ＰＤＦファイルの内容を表示した場合に、不要な画像が表示されないので便利である。
【００７１】
Ｂ．変形例：
（１）上記実施例では、ページ情報領域１２には、ページ番号が印刷されている。これに代えて、ページ情報領域１２は、印刷時には空欄とされ、ユーザがページ番号を記入することとしても良い。こうすれば、ユーザが容易にページを指定することができるので、便利である。
【００７２】
（２）上記実施例では、特定種の情報として、関連付キーワードＫＷを用いて、生成するＰＤＦファイルの数や、各ＰＤＦファイルに格納される領域画像データの決定が行われている。特定種の情報は、関連付キーワードＫＷに限らず、例えば、タイトル領域１３に記入されたタイトルであっても良い。ここで、変形例（１）に示すように、ユーザがページ番号を記入できる場合には、ユーザによって記入されたページ番号を特定種の情報として、用いても良い。例えば、第２種のメモシートＭＳＢに含まれる４個の領域画像２０の４個のページ情報領域１２に記入された４個のページ番号が、「１、２、１、２」であり、一組組の１と２が赤色で記入され、他の一組の１と２が青色で記載されている場合には、ファイル生成部１７０は、赤色で記入されたページ番号に対応するファイルと、青色で記載されたページ番号に対応するファイルと、を作成しても良い。
【００７３】
（３）上記実施例では、ファイル生成部１７０は、スキップ条件を満たす領域画像２０を表す領域画像データを、ＰＤＦファイルに格納しない。これに代えて、ファイル生成部１７０は、ＰＤＦファイルに当該スキップ条件を満たす領域画像２０を表す領域画像データを格納するとともに、当該スキップ条件を満たす領域画像２０をページに配置しない（表示しない）ことを示す情報（コマンド）を、ＰＤＦファイルのヘッダに格納しても良い。この場合にも、ＰＤＦファイルの内容を表示した場合に、不要な画像が表示されない。また、スキップ条件は、例えば、ページ情報領域１２が塗りつぶされているか否かであっても良く、罫線領域ＭＡに、基準より大きな×印が記入されているかであっても良く、罫線領域ＭＡに実質的にユーザによる記入情報がないか否かであっても良い。一般的に言えば、不要条件判断部１５０は、複数個の領域画像のそれぞれに含まれる特定領域の記入情報に基づいて、複数個の領域画像のそれぞれが特定のスキップ条件を満たすか否かを判断し、ファイル生成部１７０は、特定条件を満たす特定領域画像が含まれる場合に、特定領域画像が表示されないように、ファイルを生成することが好ましい。
【００７４】
（４）上記実施例のステップＳ３９６では、領域画像生成部１６０は、特定の領域画像２０をレイアウトに応じた回転量（角）だけ回転する回転処理を実行している。これに代えて、ファイル生成部１７０は、特定の領域画像２０を表す領域画像データを、回転処理を行うことなく、ＰＤＦファイルに格納するとともに、レイアウトに応じた回転量だけ、回転した状態で表示することを示す情報を、ＰＤＦファイルのヘッダに格納しても良い。この場合であっても、ファイル生成部１７０は、ＰＤＦファイル内の複数の領域画像データによって表される全ての領域画像が同じ向きで表示されるように、ＰＤＦファイルを生成することができる。
【００７５】
（５）ファイル生成部１７０は、ＰＤＦ形式のファイルに代えて、他のファイル形式のファイルを生成しても良い。他のファイル形式は、ページの概念を有する形式であって、複数の画像データを、互いに異なる複数のページに配置できるファイル形式であれば良く、例えば、ＸＰＳ(XML Paper Specification)形式であっても良い。
【００７６】
（６）なお、原稿画像データを生成するための画像読取部は、光学的に原稿を読み取る装置であれば良く、実施例におけるスキャナに限らず、デジタルカメラであっても良い。
【００７７】
（７）上記実施例では、画像情報取得部１２０は、原稿画像ＳＩを表す原稿画像データを解析することによって、マーカ１１、１７の検出や、マーク領域１６および不要チェックボックス１４への記入情報の有無の検出などの各種の情報を取得している。これに代えて、画像情報取得部１２０は、領域画像生成部１６０によって原稿画像ＳＩを分割して生成される領域画像データを解析することによって、同様の各種情報を取得しても良い。画像情報取得部１２０は、原稿画像データと、領域画像データとのうち、少なくともの一方を解析することによって、同様の各種情報を取得しても良い。
【００７８】
（８）上記実施例における画像処理サーバ２００が備える原稿画像処理部１００の機能は、複合機３００に備えられていても良い。この場合には、複合機３００は、ユーザの指示に応じて画像読取部３８０を用いて生成された原稿画像データに対して、自信が備える原稿画像処理部１００の機能を用いて上述した処理を実行し、ＰＤＦファイルを生成する。また、パーソナルコンピュータ４００が原稿画像処理部１００の機能を備えていても良い。ＰＤＦファイルの格納先は、格納サーバ５００に限らず、パーソナルコンピュータ４００や複合機３００が筐体内に備える記憶装置であっても良く、パーソナルコンピュータ４００や複合機３００に接続されたＵＳＢメモリなどのメモリカードであっても良く、画像処理サーバ２００であっても良い。
【００７９】
（９）画像処理サーバ２００は、１つの筐体の装置に限らず、複数の別筐体の計算機を含む装置（いわゆるクラウドサーバ）であっても良い。
【００８０】
（１０）上記実施例において、ハードウェアによって実現されていた構成の一部をソフトウェアに置き換えるようにしても良く、逆に、ソフトウェアによって実現されていた構成の一部をハードウェアに置き換えるようにしても良い。
【００８１】
以上、実施例、変形例に基づき本発明について説明してきたが、上記した発明の実施の形態は、本発明の理解を容易にするためのものであり、本発明を限定するものではない。本発明は、その趣旨並びに特許請求の範囲を逸脱することなく、変更、改良され得ると共に、本発明にはその等価物が含まれる。
【符号の説明】
【００８２】
５０...テンプレート画像生成部、１００...原稿画像処理部、１１０...原稿画像取得部、１２０...画像情報取得部、１３０...ページ番号取得部、１４０...生成順特定部、１５０...不要条件判断部、１６０...領域画像生成部、１７０...ファイル生成部、２００...画像処理サーバ、２１０...ＣＰＵ、２２０...通信部、２３０...揮発性記憶装置、２４０...不揮発性記憶装置、２４１...コンピュータプログラム、３００...複合機、３１０...ＣＰＵ、３１２...装置制御部、３１４...テンプレート画像取得部、３１６...原稿画像送信部、３２０...通信部、３３０...揮発性記憶装置、３４０...不揮発性記憶装置、３４１...コンピュータプログラム、３５０...操作部、３６０...表示部、３７０...印刷実行部、３８０...画像読取部、４００...パーソナルコンピュータ、４１０...ＣＰＵ、５００...格納サーバ、５１０...ＣＰＵ、７００...インターネット、１０００...原稿保存システム
【図１】
2014011696.tif 000003
【図２】
2014011696.tif 000004
【図３】
2014011696.tif 000005
【図４】
2014011696.tif 000006
【図５】
2014011696.tif 000007
【図６】
2014011696.tif 000008
【図７】
2014011696.tif 000009
【図８】
2014011696.tif 000010
【図９】
2014011696.tif 000011
【図１０】
2014011696.tif 000012